(57)【特許請求の範囲】
【請求項１】
室内と室外とを連通する玄関開口部と、該玄関開口部を開閉する玄関扉と、室内と室外とを連通するバルコニー開口部と、該バルコニー開口部を開閉するバルコニー戸とを備え、前記玄関開口部と前記バルコニー開口部とが室内を介して連通可能に構成された建築物に配設され、室内と室外の間で空気を流通させることで前記建築物の室内と室外の気圧差を緩和する気圧差調整装置であって、
第１、第２給気口と、第１、第２開閉手段と、第１、第２差圧計と、制御手段とを備え、
前記第１給気口は前記玄関開口部近傍における室内と室外とを連通するように構成され、
前記第２給気口は前記バルコニー開口部近傍における室内と室外とを連通するように構成され、前記第１開閉手段は前記第１給気口を開閉するように構成され、
前記第２開閉手段は前記第２給気口を開閉するように構成され、
前記第１差圧計は前記玄関開口部近傍における室内と室外との気圧の差である差圧を計測するように構成され、
前記第２差圧計は前記バルコニー開口部近傍における室内と室外との気圧の差である差圧を計測するように構成され、
前記制御手段は、前記第１、第２差圧計によって計測された差圧に基づいて、前記室内と前記室外との気圧差が減少されるように前記第１、第２開閉手段の開閉制御を行い、
前記玄関扉のノブが開放操作されたことを検知する扉開放検知手段を設け、
前記制御手段は、前記扉開放検知手段が前記玄関扉の開放操作を検知したときに、前記第１開閉手段を開放させるとともに、前記第２開閉手段を閉鎖させるように構成されている、
ことを特徴とする気圧差調整装置。
【請求項２】
室内及び前記玄関扉の近傍の室外の少なくとも一方にいる人に対して前記玄関扉の開放に伴う注意を与える警報動作を行う玄関扉警報手段を設け、前記制御手段は、前記第１開閉手段が開放され、かつ、前記第２開閉手段が閉鎖された後、前記第１、第２差圧計によって計測された差圧の値に基づいて前記玄関扉警報手段を動作させるように構成されていることを特徴とする請求項１記載の気圧差調整装置。
【請求項３】
前記制御手段は、前記第１差圧計の差圧が所定値以上であることに基づいて前記玄関扉警報手段を動作させるように構成され、前記玄関扉警報手段の警報動作は前記玄関扉に負圧がかかって開きにくい状態である旨の警告を行うことを特徴とする請求項２記載の気圧差調整装置。
【請求項４】
前記制御手段は、前記第１差圧計の差圧が所定値以上であり、かつ、前記第２差圧計の差圧がほぼ零であることに基づいて前記玄関扉警報手段を動作させるように構成され、前記玄関扉警報手段の警報動作は前記玄関扉の開放によって前記玄関開口部と前記バルコニー開口部を強風が通過するおそれがある旨の警告を行うことを特徴とする請求項２記載の気圧差調整装置。
【請求項５】
換気扇と、換気扇動作検知手段と、排気ダクトとを設け、前記換気扇は室内の空気を室外へ排気するように構成され、前記換気扇動作検知手段は前記換気扇の動作を検知するように構成され、前記排気ダクトは、前記換気扇によって排気される空気を室内から前記玄関開口部近傍における室外または前記バルコニー開口部近傍における室外の何れか一方に臨む箇所に設けられた排気口に導くように構成され、前記制御手段は、前記換気扇動作検知手段が前記換気扇の動作を検知したときに、前記第１、第２給気口のうちの前記排気口が設けられた側と同じ室外に連通する前記給気口に対応する方の前記開閉手段を開放させ、次いで、前記第１、第２差圧計で計測された差圧に基づいて、前記排気口が設けられた側の室内外の差圧と前記排気口が設けられていない側の室内外の差圧とを比較し、前記排気口が設けられた側の差圧が高いと判定された場合に、前記第１、第２給気口のうちの前記排気口が設けられていない側と同じ室外に連通する前記給気口に対応する方の前記開閉手段を閉鎖させるように構成されていることを特徴とする請求項１乃至４に何れか１項記載の気圧差調整装置。
【請求項６】
換気扇の排気動作が不十分となる旨を前記室内にいる人に対して知らせるように構成された換気扇警報手段を設け、前記制御手段は、前記第１、第２給気口のうちの前記排気口が設けられていない側の室外に連通する方の給気口を閉鎖させた後、前記第１、第２差圧計で計測された差圧に基づいて、前記排気口が設けられた側の室外の気圧と前記排気口が設けられていない側の室外の気圧とを比較し、依然として前記排気口が設けられた側の室外の気圧が高いと判定された場合に、前記換気扇警報手段を動作させるように構成されたことを特徴とする請求項５記載の気圧差調整装置。
【請求項７】
前記第１、第２給気口から前記室内に流入する空気の温度を調整する温度制御手段を備えることを特徴とする請求項６記載の気圧調整装置。
【請求項８】
前記温度制御手段は空気を加熱するヒータと、前記ヒータの動作を制御するサーモスタットとを有することを特徴とする請求項７記載の気圧調整装置。
【発明の詳細な説明】
【０００１】
【発明の属する技術分野】
本発明は建築物の室内と室外の気圧差を緩和する気圧差調整装置に関する。
【０００２】
【従来の技術】
建築物の玄関扉を開閉する場合、建築物の室内と室外の間に気圧差が生じると、玄関扉の開閉に支障を来すことがある。例えば、玄関扉に向かって強い風が吹きつけていたり、建築物の室内において換気扇を動作させて室内の空気を室外に排気したりしている場合には、室内の気圧が負圧となり室外の気圧が正圧となり、室内外の気圧差によって玄関扉が開けにくくなる。このような扉の開閉障害を回避するためには、室内と室外との気圧差を緩和する必要がある。
【０００３】
ところで、従来から、室内と室外との間で換気を行うために、玄関扉の近くに空気が流通する給気口が設けられたり、天井裏の空間を利用して室内と室外の空気を流通させたりすることが行われている。そして、このような室内と室外の空気の流通によって室内と室外との気圧差を緩和することが図られている。
また、玄関扉のノブと鍵の機構に、開口部と、その開口部を開閉する圧力調整用扉を設け、ノブの操作に連動して圧力調整用扉を開閉させることで、室内と室外の空気を流通させ室内と室外との気圧差を緩和する技術も提案されている。
【０００４】
【発明が解決しようとする課題】
しかしながら、玄関扉の近くに設けられている給気口は、換気を目的としており、給気口の有効開口面積が少なく、屋外から屋内への給気量が不足しているため、室内と室外の気圧差を緩和するには至っていない。
また、天井裏の空間を利用して空気を流通させる場合も同様であり、換気を目的としており、空気の流通する経路が屋外の給気口で狭く、天井裏の空間で広くなり、屋内の給気口で再び狭くなっている。このため、屋外から屋内に流入する空気の流路面積が縮小、拡大、縮小と変化して流路間の抵抗が大きく屋外から屋内への給気量が不足してやはり室内と室外の気圧差を緩和する機能が不十分であった。
また、ノブの操作に連動して圧力調整用扉を開閉させることで、室内と室外の空気を流通させ室内と室外との気圧差を緩和する場合には、ノブと鍵の機構という限定されたスペースに開口部が設けられているため、開口部の有効開口面積が少なく、屋外から屋内への給気量が不足し、室内と室外の気圧差を緩和する機能は不十分であった。
また、屋内で換気扇を使用して屋内の空気を屋外に排気しているような場合には、室内と室外との気圧差が増大し、玄関扉がさらに開けにくくなるという問題がある。
また、屋内で換気扇を使用して屋内の空気を屋外に排気する際、室内が負圧で室外が正圧となっていると、換気扇による換気量が低下し、換気扇に過大な負荷がかかるという問題も生じる。
本発明は前記事情に鑑み案出されたものであって、本発明の目的は、屋内と屋外の気圧差を効果的に緩和することができる気圧差調整装置を提供することにある。
【０００５】
【課題を解決するための手段】
前記目的を達成するため本発明は、室内と室外とを連通する玄関開口部と、該玄関開口部を開閉する玄関扉と、室内と室外とを連通するバルコニー開口部と、該バルコニー開口部を開閉するバルコニー戸とを備え、前記玄関開口部と前記バルコニー開口部とが室内を介して連通可能に構成された建築物に配設され、室内と室外の間で空気を流通させることで前記建築物の室内と室外の気圧差を緩和する気圧差調整装置であって、第１、第２給気口と、第１、第２開閉手段と、第１、第２差圧計と、制御手段とを備え、前記第１給気口は前記玄関開口部近傍における室内と室外とを連通するように構成され、前記第２給気口は前記バルコニー開口部近傍における室内と室外とを連通するように構成され、前記第１開閉手段は前記第１給気口を開閉するように構成され、前記第２開閉手段は前記第２給気口を開閉するように構成され、前記第１差圧計は前記玄関開口部近傍における室内と室外との気圧の差である差圧を計測するように構成され、前記第２差圧計は前記バルコニー開口部近傍における室内と室外との気圧の差である差圧を計測するように構成され、前記制御手段は、前記第１、第２差圧計によって計測された差圧に基づいて、前記室内と前記室外との気圧差が減少されるように前記第１、第２開閉手段の開閉制御を行い、前記玄関扉のノブが開放操作されたことを検知する扉開放検知手段を設け、前記制御手段は、前記扉開放検知手段が前記玄関扉の開放操作を検知したときに、前記第１開閉手段を開放させるとともに、前記第２開閉手段を閉鎖させるように構成されていることを特徴とする。
また、本発明は、室内及び前記玄関扉の近傍の室外の少なくとも一方にいる人に対して前記玄関扉の開放に伴う注意を与える警報動作を行う玄関扉警報手段を設け、前記制御手段は、前記第１開閉手段が開放され、かつ、前記第２開閉手段が閉鎖された後、前記第１、第２差圧計によって計測された差圧の値に基づいて前記玄関扉警報手段を動作させるように構成されていることを特徴とする。
また、本発明は、前記制御手段は、前記第１差圧計の差圧が所定値以上であることに基づいて前記玄関扉警報手段を動作させるように構成され、前記玄関扉警報手段の警報動作は前記玄関扉に負圧がかかって開きにくい状態である旨の警告を行うことを特徴とする。
また、本発明は、前記制御手段は、前記第１差圧計の差圧が所定値以上であり、かつ、前記第２差圧計の差圧がほぼ零であることに基づいて前記玄関扉警報手段を動作させるように構成され、前記玄関扉警報手段の警報動作は前記玄関扉の開放によって前記玄関開口部と前記バルコニー開口部を強風が通過するおそれがある旨の警告を行うことを特徴とする。
また、本発明は、換気扇と、換気扇動作検知手段と、排気ダクトとを設け、前記換気扇は室内の空気を室外へ排気するように構成され、前記換気扇動作検知手段は前記換気扇の動作を検知するように構成され、前記排気ダクトは、前記換気扇によって排気される空気を室内から前記玄関開口部近傍における室外または前記バルコニー開口部近傍における室外の何れか一方に臨む箇所に設けられた排気口に導くように構成され、前記制御手段は、前記換気扇動作検知手段が前記換気扇の動作を検知したときに、前記第１、第２給気口のうちの前記排気口が設けられた側と同じ室外に連通する前記給気口に対応する方の前記開閉手段を開放させ、次いで、前記第１、第２差圧計で計測された差圧に基づいて、前記排気口が設けられた側の室内外の差圧と前記排気口が設けられていない側の室内外の差圧とを比較し、前記排気口が設けられた側の差圧が高いと判定された場合に、前記第１、第２給気口のうちの前記排気口が設けられていない側と同じ室外に連通する前記給気口に対応する方の前記開閉手段を閉鎖させるように構成されていることを特徴とする。
また、本発明は、換気扇の排気動作が不十分となる旨を前記室内にいる人に対して知らせるように構成された換気扇警報手段を設け、前記制御手段は、前記第１、第２給気口のうちの前記排気口が設けられていない側の室外に連通する方の給気口を閉鎖させた後、前記第１、第２差圧計で計測された差圧に基づいて、前記排気口が設けられた側の室外の気圧と前記排気口が設けられていない側の室外の気圧とを比較し、依然として前記排気口が設けられた側の室外の気圧が高いと判定された場合に、前記換気扇警報手段を動作させるように構成されたことを特徴とする。
また、本発明は、前記第１、第２給気口から前記室内に流入する空気の温度を調整する温度制御手段を備えることを特徴とする。
また、本発明は、前記温度制御手段は空気を加熱するヒータと、前記ヒータの動作を制御するサーモスタットとを有することを特徴とする。
【０００６】
本発明装置では、前記第１、第２差圧計によって計測された差圧に基づいて、前記室内と前記室外との気圧差が減少されるように前記第１、第２開閉手段の開閉が制御される。
【０００７】
【発明の実施の形態】
以下、本発明の気圧差調整装置を図面を参照して説明する。
図１は本発明の気圧差調整装置の実施の形態の構成を示す全体構成図、図２は実施の形態における玄関扉開放時の制御を説明するフローチャート、図３は実施の形態における換気扇動作時の制御を説明するフローチャートである。
【０００８】
図１を参照して気圧調整装置の全体構成について説明する。本実施の形態ではマンションなどの集合住宅を構成する建築物に本発明の気圧調整装置を適用した例を説明する。
建築物１００には、床壁１０２、床壁１０２の側縁部から立設される側壁１０４、側壁１０４の上部を接続する上壁１０６、室内天井壁１０８、室外天井壁１１０、隔壁１１２、玄関室１１４、バルコニー１１６、第１、第２給気口１１８、１２０、第１、第２開閉手段１２２、１２４、排気ダクト１２６、給気ダクト１２８、換気扇１３０、第１差圧計１３２、第２差圧計１３４、制御装置１３６などが設けられている。
【０００９】
室内天井壁１０８は、その下方に室内が臨む箇所に設けられている。室外天井壁１１０は、その下方に室外に臨む空間が位置する箇所に設けられている。そして、上壁１０６は、室内天井壁１０８及び室外天井壁１１０の上方にこれら天井壁と間隔を隔てて設けられている。
【００１０】
側壁１０４は、室内天井壁１０８と室外天井壁１１０と上壁１０６とを接続し、これらの壁により天井裏の空間を形成するように設けられている。
隔壁１１２は、室内天井壁１０８と室外天井壁１１０の間の箇所に配設され、天井裏の空間を室内天井裏空間１３８と室外天井裏空間１４０とに隔てるように設けられている。
【００１１】
床壁１０２、側壁１０４、室内天井壁１０８によって囲まれた空間に玄関室１１４、居室１４２、１４４が形成されている。また、居室１４４の隣には側壁１０４を隔てて室外に臨むバルコニー１１６が設けられており、玄関室１０４の隣には室外に臨む廊下１４６が設けられている。
【００１２】
玄関室１０４には、室内と室外とを連通する玄関開口部１４８が設けられ、玄関開口部１４８には該玄関開口部１４８を開閉する玄関扉１５０が設けられている。また、玄関扉１５０のノブ１５２を開放操作したことを検知する不図示の扉開放検知手段が配設されている。
バルコニー１１６には、室内と室外とを連通するバルコニー開口部１５４が設けられ、バルコニー開口部１５４には該バルコニー開口部１５４を開閉するバルコニー戸１５６が設けられている。
【００１３】
第１給気口１１８は、室内天井裏空間１３８と室外天井裏空間１４０を連通するように隔壁１１２を貫通して設けられている。そして、第１開閉手段１２２はこの第１給気口１１８を制御装置１３６からの制御信号に基づいて開閉するように構成されている。
室内天井壁１０８には、第１給気口１１８の近傍の箇所で室内と室内天井裏空間１３８とを連通する開口部１５８が設けられている。開口部１５８には、ガラリ１５８Ａが装着されている。
室外天井壁１１０には、第１給気口１１８の近傍の箇所で室外と室外天井裏空間１４０とを連通する開口部１６０が設けられている。開口部１６０には、ガラリ１６０Ａと不図示の防虫網が装着されている。
【００１４】
室外と居室１４４の室内天井裏１３８との間には隔壁１１３が設けられており、第２給気口１２０は、室外と上記室内天井裏空間１３８とを連通するように隔壁１１３を貫通して設けられている。そして、第２開閉手段１２４はこの第２給気口１２０を制御装置１３６からの制御信号に基づいて開閉するように構成されている。
室内天井壁１３８には、第２給気口１２０の近傍の箇所で室内と室内天井裏空間１３８とを連通する開口部１６２が設けられている。開口部１６２には、ガラリ１６２Ａが装着されている。また、室内天井壁１３８には、開口部１６２とは別の箇所で室内と室内天井裏空間１３８とを連通する開口部１６３が設けられ、この開口部１６３には、ガラリ１６３Ａが装着されている。
【００１５】
また、居室１４２の屋内天井裏空間１３８には、換気扇１３０が配設されている。換気扇１３０の動作を検知する不図示の換気扇動作検知手段が設けられており、この換気扇動作検知手段は換気扇１３０の動作が行われたことを検知すると検知信号を制御装置１３６に送出するように構成されている。
排気ダクト１２６は、換気扇１３０が排出する排気を屋内天井裏空間１３８から屋外天井裏空間１４０を経由して屋外に臨む屋外天井壁１１０に設けられた排気口１６４に導くように配設されている。
給気ダクト１２８は、屋外に臨む屋外天井壁１１０に設けられた開口部１６０から屋外の空気を換気扇１３０の近傍に導くものであり、互いに連通している屋外天井裏空間１４０と屋内天井裏空間１３８によって構成されている。
【００１６】
また、第１差圧計１３２は、玄関室１１４の天井裏空間１３８に配設されており、隔壁１１２を貫通して屋外と連通するように配設された管１３２Ａと、玄関室１１４の天井壁１０８を貫通して屋内と連通するように配設された管１３２Ｂとを有している。そして、管１３２Ａ、１３２Ｂを介して屋外と屋内の気圧差を計測し、計測した差圧を示す情報を制御装置１３６に送出するようになっている。
また、第２差圧計１３４は、居室１４４の天井裏空間１３８に配設されており、隔壁１１３を貫通して屋外と連通するように配設された管１３４Ａと、居室１４４の天井壁１０８を貫通して屋内と連通するように配設された管１３４Ｂとを有している。そして、管１３４Ａ、１３４Ｂを介して屋外と屋内の気圧差を計測し、計測した差圧を示す情報を制御装置１３６に送出するようになっている。
【００１７】
制御装置（特許請求の制御手段に相当）１３６は、例えばマイクロコンピュータなどによって構成されている。
制御装置１３６は、上述した換気扇検知手段から入力される検知信号、第１、第２差圧計１３２、１３４から入力される屋外と屋内の差圧を示す計測値に基づいて第１、第２開閉手段１２２、１２４に制御信号を与えてそれぞれの開閉動作を制御するように構成されている。なお、図１中破線は制御信号の流れを示す。また、制御装置１３６は、第１、第２差圧計１３２、１３４によって計測された差圧に基づいて、室内と室外との気圧差が減少されるように、第１、第２開閉手段１２２、１２４の開閉制御を行い、第１、第２給気口１１８、１２０の空気の流通を制御するようになっている。このため、玄関扉１５０にかかる負圧が減少され、玄関扉１５０の開放が容易に行えるようになっている。
【００１８】
また、玄関室１１４の室内側と廊下１４６側とには、不図示の警報装置（特許請求の範囲の玄関扉警報手段、換気扇警報手段に相当）が設けられている。この警報装置は、制御装置１３６からの制御信号に基づいて動作するものであって、玄関扉１５０に負圧がかかって開けにくい状態になっている旨、玄関扉１５０を開放することによって強風がバルコニー開口部と玄関開口部の間を通過するおそれがある旨を室内と玄関扉１５０の近傍の室外にいる人に対して知らせる動作と、換気扇１３０の排気動作が不十分となる旨を室内にいる人に対して知らせる動作とを所定の形態（例えば音声や警告音の発生、あるいは警告灯の点灯など）によって報知するように構成されている。
【００１９】
次に、図２のフローチャートを参照して本実施の形態の気圧差調整装置の玄関扉開放時の動作について説明する。
廊下１４６にいる人が玄関扉１５０のノブ１５２を開放方向に操作すると（Ｓ１０）、扉開放検知手段から検知信号が制御装置１３６に送出される。制御装置１３６は、上記検知信号を入力すると、第２開閉手段１２４を閉鎖させて第２給気口１２０における空気の流通を遮断した状態にする（Ｓ１２）。すなわち、第２給気口１２０を遮断した状態にすることで居室１４４の空気が開口部１６２と第２給気口１２０を通過してバルコニー１１６からバルコニー側の屋外に流れることを防ぎ、玄関室１０４と居室１４２を介して連通する居室１４４の気圧がバルコニー１１６の気圧に対して低くなることを防いでいる。
【００２０】
次いで、制御装置１３６は、第１開閉手段１２２を開放させて第１給気口１１８における空気の流通を可能な状態にする（Ｓ１４）。すなわち、第１給気口１１８における空気の流通を可能な状態にし、屋外の空気が開口部１６０、第１給気口１１８、開口部１５８を介して流れることを可能とすることで、玄関室１１４の気圧が廊下１４６側の室外の気圧に近づくようにしている。
【００２１】
そして、制御装置１３６は、第１差圧計１３２から入力される差圧の計測値が所定値以上であるか否かを判定する（Ｓ１６）。この所定値は玄関扉１５０にかかる負圧に抗して玄関扉１５０を開けるために必要な力が小児や老人にとって負担となるような数値に設定されている。
Ｓ１６の判定結果が“Ｙ”ならば、制御装置１３６は、警報装置を動作させて玄関扉１５０に負圧がかかって開けにくい状態になっている旨を玄関扉１５０の近傍（室内、室外）にいる人に対して知らせる（Ｓ１８）。室内にいる人は、上記の警報動作によって事態を認識することで、玄関扉１５０を玄関室１１４の内側から開放するなどの対応をとることが可能となる。
Ｓ１６の判定結果が“Ｎ”ならば、玄関扉１５０にはその開放に際して問題となる負圧がかかっていないため、警報装置を非動作として制御動作を終了する（Ｓ２４）。
【００２２】
一方、制御装置１３６は、Ｓ１８によって警報装置による警報動作を行うと、第２差圧計１３４から入力される差圧の計測値がほぼ零か否かを判定する（Ｓ２０）。ここで、第２差圧計１３４の差圧の計測値がほぼ零であるということは、バルコニー戸１５６が開放状態となっていることを示している。この状態で玄関扉１５０を開放すれば、玄関開口部１４８からバルコニー開口部１５４に図１中矢印Ｄで示す方向の強風が通過して、居室内の扉などが強風によって強制的に開放または閉鎖され、扉の枠に衝突して破損するなどの危険が生じる。
したがって、Ｓ２０の判定結果が“Ｙ”である場合には、制御装置１３６は、警報装置を動作させて、玄関扉の開放によって玄関開口部とバルコニー開口部を強風が通過するおそれがある旨を玄関扉１５０の近傍（室内、室外）にいる人に対して知らせる（Ｓ２２）。室内にいる人は、上記の警報動作によって事態を認識することで、バルコニー開口部１５４のバルコニー戸１５６を閉鎖するなどの対応をとることが可能となる。
また、Ｓ２０の判定結果が“Ｎ”である場合には、玄関扉１５０にはその開放に際して強風が通過するおそれがないので、警報装置による強風通過の警報は行わずに制御動作を終了する（Ｓ２４）。
【００２３】
上述の動作によれば、玄関扉１５０のノブ１５２を開放方向に操作したときに、第２給気口１２０の閉鎖と第１給気口１１８の開放がなされることによって、玄関扉１５０にかかる負圧を減少させ、玄関扉１５０の開放を容易にすることができる。また、玄関扉１５０にかかる負圧が大きな場合には、玄関扉の開放が難しい旨が報知されるので、室内にいる人が玄関扉を開放するなどの対応をとることができる。また、玄関扉の開放時に強風が居室を通過するおそれがある場合には、その旨の警報が報知されるので、玄関扉を開放する前にバルコニー戸を閉鎖するなどの対応をとることが可能となり、居室内の扉などの破損を未然に防止することができる。
【００２４】
次に、図３のフローチャートを参照して本実施の形態の気圧差調整装置の換気扇動作時の動作について説明する。
換気扇１３０が作動されると（Ｓ３０）、換気扇動作検知手段から検知信号信号が制御装置１３６が入力される。制御装置１３６は、上記検知信号を入力すると、換気扇１３０の排気ダクト１２８の排気口１６４が設けられた側（廊下側）と同じ室外に連通する第１給気口１１８に対応する方の第１開閉手段１２２を開放させて第１給気口１１８における空気の流通を可能な状態にする（Ｓ３２）。これにより、屋外の空気が開口部１６０、第１給気口１１８、開口部１５８を介して流れることで、換気扇１３０が配設された居室１４２の気圧が廊下１４６側の室外の気圧に近づくようにしている。
【００２５】
そして、制御装置１３６は、第１、第２差圧計１３２、１３４から差圧の計測値を入力し（Ｓ３４）、第１差圧計１３２の差圧が第２差圧計１３４の差圧よりも大きいか否かを比較する（Ｓ３６）。
Ｓ３６の判定結果が“Ｎ”ならば、廊下側の気圧がバルコニー側の気圧と同じか小さく、換気扇１３０による排気に支障がないため、制御動作を終了する。
Ｓ３６の判定結果が“Ｙ”ならば、廊下側の気圧がバルコニー側の気圧より大きく、換気扇１３０による排気が充分に行われず、かつ、換気扇１３０に過大な負荷がかかるため、排気口１６４が設けられていない側（バルコニー側）と同じ室外に連通する第２給気口１２０に対応する方の第２開閉手段１２４を閉鎖する（Ｓ３８）。これにより、第２給気口１２０からバルコニー側の室外に空気が流出して室内の気圧が室外に対して低下することを防止することによって、換気扇１３０による排気量を確保するとともに換気扇にかかる負荷を軽減させることができる。
【００２６】
次いで、制御装置１３６は、再び、第１、第２差圧計１３２、１３４から差圧の計測値を入力し（Ｓ４０）、第１差圧計１３２の差圧が第２差圧計１３４の差圧よりも大きいか否かを比較する（Ｓ４２）。
Ｓ４２の判定結果が“Ｎ”ならば、廊下側の気圧がバルコニー側の気圧と同じか小さく、換気扇１３０による排気に支障がないため、制御動作を終了する。
Ｓ４２の判定結果が“Ｙ”ならば、依然として、廊下側の気圧がバルコニー側の気圧より大きい状態が続いているため、警報装置を動作させて換気扇の排気動作が不十分となる旨を室内にいる人に対して知らせて（Ｓ４４）、制御動作を終了する。室内にいる人は、上記の警報動作によって事態を認識することで、一時的に換気扇１３０の動作を停止するなどの対応をとることが可能となる。
【００２７】
上述の動作によれば、換気扇１３０が作動したときに、排気口１６４が設けられている側と同じ室外に連通する第１給気口１１８を開放することで、給気ダクト１２６による換気扇１３０への給気に加えて第１給気口１１８を通過する空気が換気扇１３０へ吸気されるので充分な排気量を確保することができる。
また、第１、第２差圧計の差圧の比較結果に基づいて第２給気口１２０を閉鎖することで、換気扇１３０による排気量を確保するとともに換気扇にかかる負荷を軽減させることができる。
また、第１、第２差圧計の差圧の比較結果から換気扇１３０による排気量を確保ができず、換気扇に過大な負荷がかかると判断されるには、その旨を警報装置によって報知するので、換気扇の作動を一時的に停止するなどの対応をとることが可能となる。
【００２８】
次に、気圧差調整装置の他の動作について説明する。
例えば、バルコニー戸１５６に対して雨風が吹きつけるような場合、室外に対して室内の気圧が低いと、バルコニー戸１５６を閉鎖していても、雨がバルコニー戸１５６とバルコニー開口部１５４の隙間から室内側に侵入するおそれがある。
このような場合には、制御装置１３６は、第２差圧計１３４の差圧の計測値に基づいて、室外に対して室内の気圧が低いか否かを判定し、その判定結果が肯定であれば、第２開閉手段１２４を開放することで室内外の差圧を減少させるようにすればよい。室内外の差圧が減少されることによって雨がバルコニー戸１５６とバルコニー開口部１５４の隙間から室内側に侵入することが防止される。
【００２９】
なお、上述の実施の形態では、換気扇１３０の排気動作によって室外の空気が第１給気口１１８を通過して室内に流入している。このため、冬季では、暖房中の室内に低温の空気が入ることになり好ましくない。
したがって、室内に流入する空気の温度を調整する温度制御手段を設けることが望ましい。このような温度制御手段としては、例えば、空気を加熱するヒータと、ヒータの動作を制御するサーモスタットとなどから構成することができる。また、温度制御手段を設ける箇所は、第１給気口１１８側では、室内天井裏空間１３８の第１給気口１１８と開口部１５８の間の箇所でも、ガラリ１５８Ａの箇所でもよい。
【００３０】
また、従来、高層マンションのように高層階と低層階とで室内と室外との気圧差が異なるような場合、室内外を連通する給気口を設けて室内外の気圧差を緩和しようとする際には、室内外の気圧差が階（高さ）によって異なるため、室内外を連通する給気口の開口面積を階によって調整する必要があった。
これに対して、本発明の気圧差調整装置では、室内外の気圧差に応じて第１、第２給気口の開閉を制御して室内外の気圧差を減少する構成となっているため、給気口の開口面積を調整する必要がないという利点がある。
また、本発明装置は、従来から用いられているノブの操作と連動して開閉する圧力調整用扉を設けた玄関扉と併用することもできる。この場合には圧力調整用扉が開閉する開口部の有効開口面積に対応させて、第１、第２給気口の有効開口面積を設定することで、圧力調整用扉の開口部面積を任意の大きさに設定することが可能である。
【００３１】
【発明の効果】
本発明装置は、室内と室外とを連通する玄関開口部と、該玄関開口部を開閉する玄関扉と、室内と室外とを連通するバルコニー開口部と、該バルコニー開口部を開閉するバルコニー戸とを備え、前記玄関開口部と前記バルコニー開口部とが室内を介して連通可能に構成された建築物に配設され、室内と室外の間で空気を流通させることで前記建築物の室内と室外の気圧差を緩和する気圧差調整装置であって、第１、第２給気口と、第１、第２開閉手段と、第１、第２差圧計と、制御手段とを備え、前記第１給気口は前記玄関開口部近傍における室内と室外とを連通するように構成され、前記第２給気口は前記バルコニー開口部近傍における室内と室外とを連通するように構成され、前記第１開閉手段は前記第１給気口を開閉するように構成され、前記第２開閉手段は前記第２給気口を開閉するように構成され、前記第１差圧計は前記玄関開口部近傍における室内と室外との気圧の差である差圧を計測するように構成され、前記第２差圧計は前記バルコニー開口部近傍における室内と室外との気圧の差である差圧を計測するように構成され、前記制御手段は、前記第１、第２差圧計によって計測された差圧に基づいて、前記室内と前記室外との気圧差が減少されるように前記第１、第２開閉手段の開閉制御を行う構成とした。
そのため、第１、第２差圧計によって計測された差圧に基づいて、室内と室外との気圧差が減少されるように、第１、第２開閉手段の開閉制御が行なわれて第１、第２給気口の空気の流通が制御される。したがって、室内と室外の気圧差が効果的に緩和される。
【図面の簡単な説明】
【図１】本発明の気圧差調整装置の実施の形態の構成を示す全体構成図である。
【図２】実施の形態における玄関扉開放時の制御を説明するフローチャートである。
【図３】実施の形態における換気扇動作時の制御を説明するフローチャートである。
【符号の説明】
１００  建築物
１１８  第１給気口
１２０  第２給気口
１２２  第１開閉手段
１２４  第２開閉手段
１３２  第１差圧計
１３４  第２差圧計
１３６  制御装置（制御手段）
１４８  玄関開口部
１５０  玄関扉
１５４  バルコニー開口部
１５６  バルコニー戸
【図１】
0004155628.tif 000002
【図２】
0004155628.tif 000003
【図３】
0004155628.tif 000004